(57)【要約】【課題】噴出時に強い脈動流を得られる気泡発生器とする。【解決手段】第一の噴出口３に結合するジョイント部６、ジョイント部６と固定されたホース７、ホース７の他端に固定された第二の噴出口８とよりなるホース組５を有し、また第一の噴出口３の内径の断面積をＳ１ｃｍ２、ホース７の内径の断面積をＳ２ｃｍ２、第二の噴出口８の内径の断面積をＳ３ｃｍ２、ホース７の長さをＬｃｍとする時、これらの間にＳ２／Ｓ１＝１．２〜２．８  （式１）Ｓ３／Ｓ１＝１．１〜２．４  （式２）Ｓ２／Ｓ３≧１．１  （式３）３０≦Ｌ≦５００  （式４）なる条件式が成り立つようにした浴用気泡発生器。【選択図】  図２
2004305315.tif 000002
【特許請求の範囲】
【請求項１】
水を吸引する働きをするポンプ（１）と、空気を吸込む吸気口（２）と、気泡流を噴出する第一の噴出口（３）と、ポンプ（１）を駆動させる制御部（４）と、ポンプの電源を開閉するスイッチ（２２）等よりなる浴用気泡発生器において、前記第一の噴出口（３）に結合するジョイント部（６）、ジョイント部（６）と固定されたホース（７）、ホース（７）の他端に固定された第二の噴出口（８）とよりなるホース組（５）を有し、また第一の噴出口（３）の内径の断面積をＳ１ｃｍ２、ホース（７）の内径の断面積をＳ２ｃｍ２、第二の噴出口（８）の内径の断面積をＳ３ｃｍ２、ホース（７）の長さをＬｃｍとする時、これらの間に
Ｓ２／Ｓ１＝１．２〜２．８  （式１）
Ｓ３／Ｓ１＝１．１〜２．４  （式２）
Ｓ２／Ｓ３≧１．１  （式３）
３０≦Ｌ≦５００  （式４）なる条件式が成り立つことを特徴とする浴用気泡発生器。
【請求項２】
ホース（７）は、内面は平滑で、外面はジャバラ状の構造からなり、かつ柔軟性のある材質からなることを特徴とする請求項１記載の浴用気泡発生器。
【請求項３】
第一の噴出口（３）の外周には全周に凹条溝（１７）を設け、この噴出口（３）に対応したジョイント部（６）は、内円筒（９）および外円筒（１０）からなり、内円筒（９）の内周部には前記噴出口（３）の外周部と密着して水漏れを防ぐリング状パッキン（１１）を設け、噴出口側筒部には外周側から内周側に抜け、かつ内周側が外周側よりも小径とした複数個の穴（１２）と、穴（１２）に対応して穴（１２）の最小部分の内径より大きい径の球（１３）を設け、外周端には周に沿った溝（１４）を設け、この溝（１４）にバネ状リング（１５）を嵌め込み外円筒（１０）の抜け止めとなし、さらに外円筒（１０）の一方の端の内面にはコイル状スプリング（１６）を設けたことを特徴とする請求項１記載の浴用気泡発生器。
【発明の詳細な説明】
【０００１】
【発明の属する技術分野】
本発明は、入浴時のマッサージ等のための浴用気泡発生器に関し、さらに詳しくは、入浴中の体の湯中から上の首や肩などの各部に対しても、自由に噴出流をあて十分なマッサージができるように改良しようとするものである。
【０００２】
【従来の技術】
従来のこの種の浴槽での入浴時に、気泡を含む湯水流を体表面に吹き当てることにより、湯水流中の微細な気泡がはじかれる際、超音波の振動を発生し、それによってマッサージ、温熱、洗浄などの効果があることが知られている（例えば特開２０００−０４２０７３号公報）。
【０００３】
また、低周波振動を発生するための、液体と気体を混合する噴出部自体の構造及び寸法に関しては例えば実公平４−１８５７７号公報が提案されている。
【０００４】
また、一般に水流に気体を含有させた場合、気体により、水流が不連続となるため、気体を含まない水流に比べて、脈動が生じて大きな衝撃力を生じることが知られている。
【０００５】
また、ホースを使って体の各部に気泡を混合した湯水流をかける方法、例えば特開２０００−２４５８００号公報のごとき発明も提案されている。
【０００６】
【特許文献１】「特開２０００−０４２０７３号公報」
【特許文献２】「実公平４−１７５７７号公報」
【特許文献３】「特開２０００−２４５８００号公報」。
【０００７】
【発明が解決しようとする課題】
従来の、特許文献１および２の気泡発生装置は吐出口部が固定してあり、肩、背中などに気泡流を当てる時には体を動かして当てたい部位を吐出口部に近づけなければならないという問題があった。
【０００８】
また、特許文献３のホース付の噴出口から気泡湯水流を体にかける場合、浴槽の湯から出ている体の上部にかけると、空気中であるので微細気泡が少なくなり、脈動流がなくなり、気泡によるマッサージ効果があまり得られないという難点があった。
【０００９】
【課題を解決するための手段】
上記課題を解決するために本発明は、気泡発生器の噴出部をホース付の噴出口に切替えた場合、湯水流を脈動流にすることでマッサージ効果をより強めようとするものである。
【００１０】
そのために、第一の噴出口の内径断面積、ホースの内径断面積、第二の噴出口の内径断面積等大きさの相互の関係及びホースの長さの範囲を、ある一定の比率あるいは範囲としたものである。これによって、強力な脈動流が生じ、マッサージ効果などが増強されることを、実験に基づいて確認してなされたものである。
【００１１】
本発明はこのような構成としたことにより、ポンプによって吸引された湯水と、吸気口から吸入された空気とが混合された噴流は、第一の噴出口と第二の噴出口との間で、各内径の断面積の関係寸法とホース長さなどに基づいて所定の共振周波数の脈動流が生じ、それによって噴出流を体に当てた場合、大きなマッサージ効果を得ることができるものである。
【００１２】
以上のような構成とすることによって、入浴時にホース付の噴出口を使い、湯中から上のからだの各部にも、マッサージや洗浄、温熱などの効果のある脈動感をもった噴出流をかけることができる。
【００１３】
【発明の実施の形態】
本発明は、水を吸引する働きをするポンプと、空気を吸込む吸気口と、気泡流を噴出する第一の噴出口と、ポンプを駆動させる制御部と、ポンプの電源を開閉するスイッチ等よりなる浴用気泡発生器において、前記第一の噴出口に結合するジョイント部、ジョイント部と固定されたホース、ホースの他端に固定された第二の噴出口とよりなるホース組を有し、また第一の噴出口の内径の断面積をＳ１ｃｍ２、ホースの内径の断面積をＳ２ｃｍ２、第二の噴出口の内径の断面積をＳ３ｃｍ２、ホースの長さをＬｃｍとする時、これらの間に
Ｓ２／Ｓ１＝１．２〜２．８  （式１）
Ｓ３／Ｓ１＝１．１〜２．４  （式２）
Ｓ２／Ｓ３≧１．１  （式３）
３０≦Ｌ≦５００  （式４）なる条件式が成り立つ浴用気泡発生器としたものである。
【００１４】
また、ホースは、内面は平滑で、外面はジャバラ状の構造からなり、かつ柔軟性のある材質からなるものである。
【００１５】
また、第一の噴出口の外周には全周に凹条溝を設け、この噴出口に対応したジョイント部は、内円筒、外円筒からなり、内円筒の内周部には前記噴出口の外周部と密着して水漏れを防ぐリング状パッキンを設け、噴出口側筒部には外周側から内周側に抜け、かつ内周側が外周側よりも小径とした複数個の穴と、穴に対応して穴の最小部分の内径より大きい径の球を設け、外周端には周に沿った溝を設け、この溝にバネ状リングを嵌め込み外円筒の抜け止めとなし、さらに外円筒の一方の端の内面にはコイル状スプリングを挿入したものである。
【００１６】
【実施例】
以下本発明の一実施例を図面に基づいて詳細に説明する。図１は本発明の一実施例を示す浴用気泡発生器の外観図である。図２は同じくジョイント装着状態を示す断面図であり、図３は同じく要部拡大断面図である。図４は同じく内円筒の詳細図である。
【００１７】
図において、本実施例の浴用気泡発生器は、ポンプ駆動モータ１８によって回転される羽根車１９によって水を吸引する働きのポンプ１と、空気を吸込む吸気口２、吸気口２からの空気を後述する噴出口３に導入する吸気管２０、気泡流を噴出する第一の噴出口３、ポンプ１を駆動させる制御部４、ポンプ１の電源を開閉するスイッチ２２等よりなっている。
【００１８】
第一の噴出口３には着脱自在にホース組５のジョイント部６を装着する。ホース組５は、ジョイント部６と固定された柔軟性ある材質よりなるホース７及びホース７の他の端に固定された第二の噴出口８とで構成されている。ホース７は内面が平滑で、外面はジャバラ状に形成されており、かつ柔軟性のある材質で形成されているものである。
【００１９】
また、第一の噴出口３の内径の断面積をＳ１ｃｍ２、ホース７の内径の断面積をＳ２ｃｍ２、第二の噴出口８の内径の断面積をＳ３ｃｍ２、ホース７の長さをＬｃｍとする時、これらの間に
Ｓ２／Ｓ１＝１．２〜２．８  （式１）
Ｓ３／Ｓ１＝１．１〜２．４  （式２）
Ｓ２／Ｓ３≧１．１  （式３）
３０≦Ｌ≦５００  （式４）なる条件式が成り立つように形成されているものである。
【００２０】
ポンプ駆動モータ１８によって回転される羽根車１９が渦巻き式のポンプ１を形成し、ポンプ１の流体が噴出する第一の噴出口３には、外部から空気を導入する吸気管２０の下端が連結されており、吸気管２０の上端はポンプ本体ケース２１の吸気口２と連結されている。一方、ポンプ本体ケース２１にはマグネットを内蔵した押しボタン式のスイッチ２２を備え、内部のリードスイッチをＯＮ−ＯＦＦするように構成されているものである。
【００２１】
また、ジョイント部６と接続されて、内面が平滑で、外面はジャバラ状の構成からなり、柔軟性のある材質からなるホース７を設けており、ホース７の他の一端は第二の噴出口８に固定されている。ここでホース７の材質としては例えば塩化ビニール樹脂やポリオレフィン樹脂、ジャバラ部分の芯材にはポリプロピレン樹脂やポリエチレン樹脂などがある。
【００２２】
また、第一の噴出口３の外周には後述する球１３が嵌合する凹条溝１７が全周に亘って設けられている。この第一の噴出口３に対応したジョイント部６は、内円筒９および外円筒１０からなり、内円筒９の内周部には前記噴出口３の外周部と密着して水漏れを防ぐゴム製のリング状パッキン１１を設けてある。また内円筒９の噴出口側筒部には外周側から内周側に抜け、かつ内周側が外周側よりも小径とした複数個の穴１２と、穴１２に対応して穴１２の最小部分の内径より大きく最大内径より小さい径の球１３を設けてある。さらに外周端には周に沿った溝１４を設けるとともに、この溝１４にバネ状リング１５を嵌め込み、外円筒１０を挿入し嵌め込んだ後に抜け止めとするものである。また、外円筒１０の一方の端部内面にはコイル状スプリング１６を挿入したものである。
【００２３】
以上のような構成からなり、この動作は、押しボタン式のスイッチ２２を押すとポンプ駆動モータ１８が回転し、羽根車１９が湯水を吸引し、この湯水をポンプ１の流体噴出口３から噴出するのであり、この時ポンプ１からの噴流により吸気管２０からの空気を吸込む。ここで通常時浴槽の湯の中では、第一の噴出口３から気泡流として、湯の中に噴出し、体に当てるなどして使うことによって、マッサージ効果が得られる。
【００２４】
本発明では、ここで空気と湯水が混合した噴流が第一の噴出口３に接続したジョイント部６を通り、ホース７の中を流れ、第二の噴出口８から噴出する時、本発明のように各噴出口及びホースの断面積関係寸法とホースの長さ範囲を（式１）〜（式４）で示されるような条件に設定することによって、噴出流に所定の共振周波数の強力な脈動流が生じる。実験から共振周波数としては０．２から２００Ｈｚ程度が得られた。
【００２５】
従来は湯中から上に出た体の各部に当てた場合、空気中のため微細気泡は少なく、従ってマッサージ効果は小さかったが、本発明によれば、このようにして発生した脈動流を入浴者の体に当てることによって、強力なマッサージ、洗浄、温熱効果を得ることができるものである。
【００２６】
また、ジョイント部６の接続動作は、ジョイント部６全体を手で持ち外円筒１０を手前に引くと、内円筒９内の穴１２中を移動自在に嵌入された球１３は、外円筒１０による押し付けが無くなり、ストッパーが解除されて自由に動く状態となる。この状態でジョイント部６を第一の噴出口３に挿入し、球１３の位置が第一の噴出口３の外周に設けられた凹条溝１７部分に達した時、手を外円筒１０から離すと、外円筒１０が、内装されたコイル状スプリング１６により自動的に動き、球１３の位置を内側に押しつけた状態で、第一の噴出口３の外周の凹条溝１７部分に係止し、固定、保持される。これによってジョイント部６の内円筒９は第一の噴出口３の外周に固定されるものである。
【００２７】
この際、内円筒９内のリング状パッキン１１により第一の噴出口３の外周と内円筒９が密着され、水密に結合されて、水漏れなくホース部５を結合する働きをする。ここでジョイント部６の内円筒９の外周端に設けた溝１４に嵌め込んだバネ状リング１５は外円筒１０のコイル状スプリング１６に対するストッパーとして働き、外円筒１０を設定位置の範囲に保持する働きをする。
【００２８】
また、ジョイント部６を取り外す際は、ジョイント部６全体を持ち、外円筒１０を手前に引くと、内円筒９内の穴１２中に挿入された球１３はストッパーが解除されて自由に動く状態となり、ジョイント部６を取り外すことができる。以上のような簡単な操作でジョイント部６は第一の噴出口３から着脱できるものである。
【００２９】
【発明の効果】
以上、本発明はこのような構成としたことにより、浴用気泡発生器からの気泡流を、湯中から上に出た体の各部に当てた場合、空気中のため微細気泡は少なくなるが、本発明により、空気と湯水が混合した噴流が第一の噴出口からホースの中を流れ、第二の噴出口から噴出する時、各噴出口及びホースの断面積関係寸法とホースの長さの範囲を本発明の条件とすることによって、噴出流に所定の共振周波数の大きな脈動流が生じ、それによって十分なマッサージ、洗浄、温熱効果を得ることができるなどの大きな効果が得られるものである。
【００３０】
また、ホースは柔軟材質からなるジャバラ状のため、折れ曲がることなく自由に曲がるため、容易に体の各部に当てることができ、また内面が平滑なため、圧力や流速の低下を少なくでき、強力な噴出流が得られる。
【００３１】
また、ジョイント部はワンタッチで簡単に脱着でき、ホース部分の使用について、本体に装着したり外したりが自由に選択できるものである。
【図面の簡単な説明】
【図１】本発明の一実施例を示す浴用気泡発生器の外観図である。
【図２】同じくジョイント部の装着状態を示す断面図である。
【図３】同じく要部拡大断面図である。
【図４】同じく内円筒の詳細図である。
【符号の説明】
１：ポンプ、２：吸気口、３：第一の噴出口、４：制御部、５：ホース組、６：ジョイント部、７：ホース、８：第二の噴出口、９：内円筒、１０：外円筒、１１：リング状パッキン、１２：穴、１３：球、１４：溝、１５：バネ状リング、１６：コイル状スプリング、１７：凹条溝、２２：スイッチ。
【図１】
2004305315.tif 000003
【図２】
2004305315.tif 000004
【図３】
2004305315.tif 000005
【図４】
2004305315.tif 000006